(57)【特許請求の範囲】
【請求項１】
森林資源を出荷する場所で読み取り可能な、作業監督者や作業機械が保有する第１のＩＣタグと、
前記森林資源の情報を入力して記憶する情報入力手段と、
前記記憶した森林資源の情報を送信する通信装置と、
前記森林資源を搬送する運搬者が保有する第２のＩＣタグと、
前記森林資源を納品する場所で読み取り可能な第３のＩＣタグと、
前記第１、第２、第３のＩＣタグのＩＤを読み取り得るＩＣタグリーダと、
前記ＩＣタグリーダーで読み取った前記第１、第２、第３のＩＣタグのＩＤおよび前記通信装置から送信された森林資源の情報を、予め設定した第１、第２、第３のＩＣタグのＩＤおよび森林資源の情報と照合して、前記森林資源の流通が適正か否か判断する流通評価手段とを備えた森林資源流通管理システム。
【請求項２】
請求項１記載の森林資源流通管理システムにおいて、
前記運搬者の位置を算出し、算出した時刻とともに記録する手段と、
をさらに備え、
前記流通評価手段は、前記運搬者の前記位置および前記時刻をさらに照合して、前記流通が適正に行われたか否かを判断することを特徴とする森林資源流通管理システム。
【請求項３】
請求項１または２記載の森林資源流通管理システムにおいて、
前記情報入力手段は、前記森林資源を出荷する場所での作業機械の稼働情報を入力可能であり、
前記流通評価手段は、前記稼働情報を参照して、前記流通が適正に行われたか否かを判断することを特徴とする森林資源流通管理システム。
【発明の詳細な説明】
【技術分野】
【０００１】
本発明は、材木等となる丸太やバイオマス資源等となる林地残材を含む森林資源を流通する森林資源流通管理システムに関する。
【背景技術】
【０００２】
森林の土場で製材原木を伐採し玉切りして得られた丸太は、一般に原木市場で売買された後に、製材工場に搬送され、製材工場にて加工され、木材店や工務店に流通する。
こうした丸太の流通経路において、従来は紙の伝票を用いて原木の産地、品質を保証していたが、伝票内容の信頼性が確保されないことがあった。
そこで、トレーサビリティの確保を目的として、何処の山から、いつ、どのように原木が搬送されるかの情報を原木と関連付けるため、ＩＣタグやＩＣカード等が検討されている。
【０００３】
特許文献１記載の原木管理方法では、原木の情報をＩＣタグに記録し、ＩＣタグを原木に取り付けてトレーサビリティを確保している。
また非特許文献１記載の検証実験では、位置情報を記録したＩＣタグを原木１本ごとに取り付け、さらに伐採箇所にＩＣタグを埋め込んだ杭を打設して、トレーサビリティを確保している。
【先行技術文献】
【特許文献】
【０００４】
【特許文献１】特開２００７−２６４１５号公報
【非特許文献】
【０００５】
【非特許文献１】住宅ジャーナル２００６年２月号「山元から住宅建設現場までのトレーサビリティの検証実験結果」（株式会社ＤＣＭＣ）
【発明の概要】
【発明が解決しようとする課題】
【０００６】
特許文献１、非特許文献１の技術で使用されるＩＣタグ、特に屋外で使用可能なＩＣタグは高価であり、原木１本ごとにＩＣタグを使用することは、原木価格に比較し大幅なコスト増となる。
非特許文献１の技術では、伐採箇所の移動ごとにＩＣタグの情報を更新する必要があり、情報管理が煩雑である。
【課題を解決するための手段】
【０００７】
本発明による森林資源流通管理システムは、森林資源を出荷する場所で読み取り可能な、作業監督者や作業機械が保有する第１のＩＣタグと、前記森林資源の情報を入力して記憶する情報入力手段と、前記記憶した森林資源の情報を送信する通信装置と、前記森林資源を搬送する運搬者が保有する第２のＩＣタグと、前記森林資源を納品する場所で読み取り可能な第３のＩＣタグと、前記第１、第２、第３のＩＣタグのＩＤを読み取り得るＩＣタグリーダと、前記ＩＣタグリーダーで読み取った前記第１、第２、第３のＩＣタグのＩＤおよび前記通信装置から送信された森林資源の情報を、予め設定した第１、第２、第３のＩＣタグのＩＤおよび森林資源の情報と照合して、前記森林資源の流通が適正か否か判断する流通評価手段とを備える。
【発明の効果】
【０００８】
本発明によれば、森林資源の流通過程におけるトレーサビリティを確保し得る。
【図面の簡単な説明】
【０００９】
【図１】本発明による森林資源流通管理システムの実施の形態を示すブロック図。
【図２】同実施の形態における作業機械の稼働情報の出力例を示す表。
【図３】同実施の形態における運搬車両の運搬管理表。
【図４】同実施の形態における作業員管理情報を示す表。
【図５】同実施の形態における作業位置管理情報を示す表。
【図６】同実施の形態による山土場における移動端末の処理を示すフローチャート。
【図７】同実施の形態による需要者における移動端末の処理を示すフローチャート。
【図８】同実施の形態におけるサーバの処理を示すフローチャート。
【図９】図１における移動端末の構成を示すブロック図。
【図１０】図１におけるサーバの構成を示すブロック図。
【発明を実施するための形態】
【００１０】
以下、本発明による森林資源流通管理システムの実施の形態を添付図面に従って詳細に説明する。
［実施の形態］
【００１１】
図１に示すように、森林資源流通管理システムは、森林資源Ｓを生産する山土場Ｐ１に装備されたコンピュータ２００、ＩＣタグリーダ１００、通信装置２０２と、運搬車両３００の運搬者Ｍ２が保有する移動端末２６０、ＩＣタグリーダ１０２、ＧＰＳ装置／通信装置７６０と、管理事務所Ｐ２等に設置されたサーバ５００、コンピュータ５２０、通信装置５４０とを備える。森林資源Ｓは運搬車両３００によって、製材所等の需要者Ｐ３に届けられる。
管理事務所Ｐ２は、森林組合等、森林を管理する単独組織や、組合非加入の複数の山林所有者によって運営される組織等がある。
【００１２】
山土場Ｐ１には、プロセッサ４００、グラップル４２０等の作業機械が稼働し、プロセッサ４００で生産した丸太、残材等の森林資源Ｓを、グラップル４２０によって運搬車両３００に積載する。
【００１３】
山土場Ｐ１においては、作業監督者Ｍ１が生産、出荷の管理、検収に従事し、コンピュータ２００およびＩＣタグリーダ１００を操作する。
【００１４】
運搬車両３００の運搬者Ｍ２は固有のＩＣタグＭ２２（第２ＩＣタグという。）を保有し、作業監督者Ｍ１は固有のＩＣタグＭ１２（第１ＩＣタグという。）を保有している。
需用者Ｐ３においては、検収者Ｍ４が納品された森林資源Ｓの検収、受け入れに従事しており、固有のＩＣタグＭ４２（第３ＩＣタグという。）を保有している。
作業機械４００、４２０には固有のＩＣタグ４０２、４２２（第４、第５ＩＣタグという。）が装着されている。
【００１５】
ＧＰＳ装置／通信装置７６０は、ＧＰＳ衛星７００の信号を受信し、その信号を演算することによって自己の位置（緯度、経度）を求め、その位置情報を位置情報算出時の時刻とともにコンピュータ２６０に入力する。
コンピュータ２６０は入力された位置情報、時刻を記憶装置に記憶し、所定のタイミングで、ＧＰＳ装置／通信装置７６０から、通信衛星６００の通信回線Ｃ１、Ｃ２を介して、通信装置５４０に送信する。
コンピュータ５２０は、通信装置５４０で受信した情報を取り込み、適宜サーバ５００が保有するデータベースに格納する。
【００１６】
作業機械４００にはコンピュータ２２０、ＧＰＳ装置／通信装置７２０が装備され、作業機械４２０にはコンピュータ２４０、ＧＰＳ装置／通信装置７４０が装備されている。
ＧＰＳ装置／通信装置７２０、７４０はＧＰＳ衛星７００の信号を受信し、その信号を演算することによって自己の位置（緯度、経度）を求め、その位置情報を位置情報算出時の時刻とともにコンピュータ２２０、２４０にそれぞれ入力する。
コンピュータ２２０、２４０は入力された位置情報、時刻を記憶装置に記憶し、所定のタイミングで、ＧＰＳ装置／通信装置７２０、７４０から通信回線Ｃ１、Ｃ２を介して、通信装置５４０に送信する。
コンピュータ５２０は、通信装置５４０で受信した情報を取り込み、適宜サーバ５００が保有するデータベースに格納する。
【００１７】
山土場Ｐ１における森林資源Ｓの出荷に際しては、運搬者Ｍ２は移動端末２６０に森林資源Ｓおよびその出荷に関する情報を入力するとともに、ＩＣタグリーダ１０２によって、作業監督者Ｍ１のＩＣタグＭ１２および運搬者Ｍ２のＩＣタグＭ２２を読み取り、移動端末２６０に取り込む。
【００１８】
移動端末２６０に取り込まれた森林資源Ｓの情報およびＩＣタグＭ１２、Ｍ２２の情報は、直ちに、衛星通信回線Ｃ１、Ｃ２を介して管理事務所Ｐ２の通信装置５４０に送信され、コンピュータ５２０に取り込まれる。
山土場Ｐ１の通信衛星６００との通信状態が良好でないときは、運搬車両３００の運搬過程において、通信状態が良好になったときに情報を送信する。
【００１９】
コンピュータ５２０および／またはサーバ５００は、森林資源Ｓの情報と、山土場Ｐ１に存在する信用力の高い作業監督者Ｍ１のＩＣタグＭ１２、および運搬者Ｍ２のＩＣタグＭ２２と、運搬車両３００の位置情報および位置情報算出時刻とを、関連付けつつ管理する。
これによって、森林資源Ｓが、山土場Ｐ１で出荷されてから需用者Ｐ３へ納品されるまでの移動経路が時間軸上に記録され、森林資源Ｓのトレーサビリティが確保される。
仮に、正規の森林資源Ｓが出荷されなかったときには、ＩＣタグＭ１２、Ｍ２２の両者が読み取られる可能性は極めて低く、また、移動経路の途中で森林資源Ｓのすり替えが行われたときには、移動経路やその通過時刻に異常な痕跡が残される可能性が高い。
【００２０】
さらに、需用者Ｐ３においては、森林資源Ｓそのものの確認のみならず、移動端末２６０によっても森林資源Ｓを確認し得る。
運搬者Ｍ２は、ＩＣタグリーダ１０２によって、検収者Ｍ４のＩＣタグＭ４２を読み取り、移動端末２６０に取り込む。
移動端末２６０に取り込まれたＩＣタグＭ４２の情報は、直ちに、衛星通信回線Ｃ３、Ｃ２を介して管理事務所Ｐ２のコンピュータ５２０に送信される。
これによって、森林資源Ｓが納品されたことが確認可能となる。
すなわち、出荷時のＩＣタグＭ１２、Ｍ２２の情報、森林資源Ｓの情報、移動経路、時間情報に加え、納品確認情報を管理することにより、極めて信頼性の高いトレーサビリティを保証し得る。
【００２１】
運搬者Ｍ２は、コンピュータ２６に造林情報、積載重量等の稼働情報を入力し、作業機械４００、４２０においては、コンピュータ２２０、２４０に作業者名、作業場所、作業内容、作業時間等の稼働情報を入力する。
これら情報は、ＧＰＳ装置／通信装置７２０、７４０から、通信回線Ｃ１、Ｃ２を介してコンピュータ５２０に送信される。
これによって、コンピュータ５２０において、作業機械４００、４２０の稼働状況と森林資源Ｓとを照合することでき、森林資源Ｓの出荷の事実を検証し得る。すなわち、ＩＣタグＭ１２、Ｍ２２の読み込みと積み込みのための作業機械４２０の稼働時刻との時間差を参照すれば、出荷の信頼性を検証し得る。
また、運搬車両３００、作業機械４００、４２０の稼働状況を管理でき、作業計画を策定し得る。
【００２２】
図９に示すように、移動端末２６０は、移動端末２６０全体を制御するＣＰＵ８１０、ＣＰＵ８１０で処理されるプログラムやデータを格納するシステムメモリ８２０、ＩＣカードリーダ１０２等を接続するＩ／Ｏ８３０、液晶ディスプレイ等の表示部８４０、キーボード等の入力部８５０、ＧＰＳ装置／通信装置７６０その他の通信装置を接続し得る通信ＩＦ８６０、これら構成要素が接続されたシステムバス８００を備える。
移動端末２６０における、ＣＰＵ８１０、システムメモリ８２０、Ｉ／Ｏ８３０、入力部８５０は森林資源Ｓ等の情報を入力して記憶する情報入力手段として機能する。
なお、コンピュータ２００、２２０、２４０、５２０は移動端末２６０と同様に構成されている。
【００２３】
図１０に示すように、サーバ５００は、サーバ５００全体を制御するＣＰＵ９１０、ＣＰＵ９１０で処理されるプログラムやデータを格納するシステムメモリ９２０、種々の周辺機器を接続するＩ／Ｏ９３０、液晶ディスプレイ等の表示部９４０、キーボード等の入力部９５０、コンピュータ５２０等を接続し得る通信ＩＦ９６０、データベース９８０等が格納された外部メモリ９７０、これら構成要素が接続されたシステムバス９００を備える。
【００２４】
図２に示すように、コンピュータ５２０においては、複数回の森林資源Ｓの出荷、納品のデータ、例えば、運搬者Ｍ２のＩＣタグＭ２２のＩＤコード、作業監督者Ｍ１のＩＣタグＭ１２のＩＤコード、森林資源Ｓの重量、山土場Ｐ１発車時刻、需用者Ｐ３到着時刻、検収者Ｍ４のＩＣタグＭ４２のＩＤコード等が一覧表示される。
発車時刻は、例えば、ＩＣタグＭ１２を読み取った時刻とされ、到着時刻は、例えば、ＩＣタグＭ４２を読み取った時刻とされる。
【００２５】
コンピュータ５２０においては、図３に示すように、各作業者ごとの作業内容、作業場所の一覧、図４に示すように、作業機械ごとの作業場所、作業内容の一覧を表示し得る。
なお、予め、作業場所の緯度・経度を登録しておけば、図５に示すように、作業機械４００、４２０等の緯度・経度範囲を参照し、その作業場所をコンピュータ５２０に判定して、表示することも可能である。
これによって、コンピュータ２２０、２４０での作業場所入力を省略し得る。
【００２６】
ＩＣタグＭ１２、Ｍ２２、Ｍ４２、４０２、４２２としては、データ書き換えが可能なもの、予めメモリに書き込まれた内容を読み取るだけのものが存在するが、本実施の形態では後者を採用し、ＩＣタグによる認証の信頼性を確保する。
［移動端末２６０の処理］
【００２７】
図６に示すように、山土場Ｐ１では、移動端末２６０において、ＣＰＵ８１０はシステムメモリ８２０に格納されたプログラムによって制御されて、以下のステップを実行する。
【００２８】
ステップＳ６０１：まず、森林資源Ｓの入力画面（図示省略）を表示部８４０に表示する。
【００２９】
ステップＳ６０２：ステップＳ６０１に続いて、入力部８５０からの森林資源Ｓの入力が完了したか否かを判断する。
入力が完了したときはステップＳ６０３に進み、入力未完のときはステップＳ６０１に戻る。
入力完了は、キーボードにおける特定キーの入力あるいは、画面上の完了アイコンのピック等で指示される。
【００３０】
ステップＳ６０３：森林資源Ｓの情報をシステムメモリ８２０に格納し、ステップＳ６０４に進む。
森林資源Ｓの情報としては木材の樹種、長さ、直径、等級（曲がり量）、本数、重量等である。
【００３１】
ステップＳ６０４：ＩＣタグリーダ１０２によってＩＣタグＭ１２のＩＤを読み込むべき旨のプロンプトを表示部８４０に表示し、ステップＳ６０５に進む。
【００３２】
ステップＳ６０５：ＩＣタグリーダ１０２によるＩＤ読み込みが行われたか否かを判断し、読み込みが行われたときはステップＳ６０６に進む。読み込みが行われなかったときは、ステップＳ６０４に戻る。
【００３３】
ステップＳ６０６：ＩＣタグリーダ１０２で読み込まれたＩＤを、ＩＣタグＭ１２のＩＤとして、システムメモリ８２０に格納する。
【００３４】
ステップＳ６０７：ＩＣタグリーダ１０２によってＩＣタグＭ２２のＩＤで読み込むべき旨のプロンプトを表示部８４０に表示し、ステップＳ６０８に進む。
【００３５】
ステップＳ６０８：ＩＣタグリーダ１０２によるＩＤ読み込みが行われたか否かを判断し、読み込みが行われたときはステップＳ６０９に進む。読み込みが行われなかったときは、ステップＳ６０７に戻る。
【００３６】
ステップＳ６０９：ＩＣタグリーダ１０２で読み込まれたＩＤを、ＩＣタグＭ２２のＩＤとして、システムメモリ８２０に格納する。
【００３７】
ステップＳ６１０：ステップＳ６０９に続いて、通信回線Ｃ１の通信状態を判断する。通信状態が良好であればステップＳ６１１に進み、通信状態が良好でないときは、待機する。
【００３８】
ステップＳ６１１：通信ＩＦ８６０から、森林資源Ｓの情報およびＩＣタグＭ１２、Ｍ２２のＩＤをコンピュータ５２０に送信し、その後処理を終了する。
【００３９】
図７に示すように、需要者Ｐ３が保持する移動端末２６０において、ＣＰＵ８１０はシステムメモリ８２０に格納されたプログラムによって制御されて、以下のステップを実行
する。
【００４０】
ステップＳ７０１：まず、森林資源Ｓを特定するデータ(木材の樹種、長さ、直径、等級(曲がり量)、本数、重量等)、山土場Ｐ１、発車時刻、運搬者Ｍ２のＩＤ等を入力する画面が表示される。
【００４１】
ステップＳ７０２：ステップＳ７０１に続いて、必要なデータが入力されたか否かを判断する。入力が完了したときは、ステップＳ７０３に進み、入力が未完のときは待機する。
【００４２】
ステップＳ７０３：入力データに適合する森林資源Ｓの情報を表示するとともに、ＩＣタグリーダ１０２によってＩＣタグＭ４２のＩＤを読み込むべき旨のプロンプトを表示部８４０に表示する。その後、ステップＳ７０４に進む。
【００４３】
ステップＳ７０４：ＩＣタグリーダ１０２によるＩＤ読み込みが行われたか否かを判断し、読み込みが行われたときはステップＳ７０５に進む。読み込みが行われなかったときは、ステップＳ７０３に戻る。
【００４４】
ステップＳ７０５：ＩＣタグリーダ１０２で読み込まれたＩＤを、ＩＣタグＭ４２のＩＤとして、システムメモリ８２０に格納する。
【００４５】
ステップＳ７０６：通信回線Ｃ１の通信状態を判断する。通信状態が良好であればステップＳ７０７に進み、通信状態が良好でないときは待機する。
【００４６】
ステップＳ７０７：ＩＣタグＭ４２のＩＤをコンピュータ５２０に送信し、処理を終了する。
［コンピュータ５２０の処理］
【００４７】
図８に示すように、コンピュータ５２０では以下のステップを実行する。
【００４８】
ステップＳ８０１：まず、作業機械４００、４２０の稼働情報を受信したか否か判断する。稼働情報を受信したときはステップＳ８０２に進み、受信しなかったときは、ステップＳ８０３にジャンプする。
【００４９】
ステップＳ８０２：稼働情報を格納するとともに、適宜データべースに登録する。
【００５０】
ステップＳ８０３：森林資源Ｓの情報、ＩＣタグＭ１２、Ｍ２２のＩＤ、発車時刻を受信したか否か判断する。これらの情報を受信したときはステップＳ８０４に進み、受信しなかったときは、ステップＳ８０５にジャンプする。
【００５１】
ステップＳ８０４：森林資源Ｓの情報、ＩＣタグＭ１２、Ｍ２２のＩＤ、発車時刻を格納し、適宜データベースに登録する。
【００５２】
ステップＳ８０５：ＩＣタグＭ４２のＩＤおよび到着時刻を受信したか否か判断する。これらの情報を受信したときはステップＳ８０６に進み、受信しなかったときは、処理を終了する。
【００５３】
ステップＳ８０６：ＩＣタグＭ４２のＩＤ、到着時刻を格納し、適宜データベースに登録する。
【００５４】
ステップＳ８０７：ステップＳ８０２、Ｓ８０４、Ｓ８０６で格納した情報、例えば森林資源Ｓが予め設定された山土場における作業監督者Ｍ１のＩＤコード、運搬者Ｍ２のＩＤコード、納品データ等の情報と受信したそれぞれの情報とを照合して一致不一致を判断し、適正な出荷、納品等の流通が行われか否かを評価する。
このとき、ＣＰＵ８１０およびシステムメモリ８２０は流通評価手段として機能する。
【００５５】
ステップＳ８０８：出荷、納品の伝票を出力し、処理を終了する。なお、本実施の形態はコンピュータ５２０の処理を例に挙げたが、サーバ５００に処理させてもよい。
【００５６】
実施の形態では、運搬者Ｍ２が保有する移動端末２６０に森林資源ＳやＩＣタグＭ１２、Ｍ２２の情報を入力したが、作業監督者Ｍ１が保有するコンピュータ２００にこれら情報を入力し、通信回線Ｃ１、Ｃ２を通じて通信装置５４０に送信してもよい。すなわち、山土場内の移動端末２６０やコンピュータ２００に実績値（実際にトレーラに積んだ木材の樹種、本数等）を入力する方法であればよい。
この場合も、運搬車両３００の移動経路、時間情報はコンピュータ２６０から通信装置５４０に送信され、コンピュータ５２０またはサーバ５００において、コンピュータ２００から送信された情報と統合する。
［変形例２］
【００５７】
実施の形態では、運搬者Ｍ２は作業監督者Ｍ１が保有するＩＣタグＭ１２を読み取ったが、作業監督者Ｍ１が不在の山土場Ｐ１において、ＩＣタグＭ１２に替えて、作業機械４００、４２０のＩＣタグ４０２、４０４を読み取ることとしてもよい。すなわち、ＩＣタグを承認のツールとする方法であればよい。
これによって、少なくとも、運搬者Ｍ２と作業機械４００、４２０との接触を確認することができる。
［変形例３］
【００５８】
実施の形態における図７の処理では、検収者Ｍ４のＩＣタグのＩＤを伝票出力の条件としたが、稼働情報およびＩＣタグＭ１２、Ｍ２２のＩＤのみによって、伝票出力の条件を判断してもよい。
［変形例４］
【００５９】
実施の形態では、コンピュータ５２０は、運搬車両３００が需要者Ｐ３に着荷した際に伝票を発行したが、このような伝票以外に、後日、データベース９８０を参照し、データを総合的に判断して、より信頼性の高い伝票を発行することも可能である。
［変形例５］
【００６０】
実施の形態では、山土場Ｐ１では、森林資源Ｓの情報等をコンピュータ５２０に入力し、伝票印刷出力は行わなかったが、印刷出力を行うとともに、その伝票に、作業機械４００、４２０の稼働状況、発車時刻等を印字、さらに、需要者Ｐ３への到着時に到着時刻、ＩＣタグＭ４２読み取り時刻を印字することによって、出荷、着荷の確認資料とし、あるいは、このような確認資料を併用することも当然可能である。
【符号の説明】
【００６１】
Ｃ１、Ｃ２、Ｃ３：通信回線
Ｍ１２、Ｍ２２、Ｍ４２：ＩＣタグ
Ｍ２：運搬者
Ｍ４：需用者
Ｐ１：山土場
Ｐ３：需用者
Ｓ：森林資源
１００、１０２：ＩＣタグリーダ
２６０：移動端末
３００：運搬車両
２０２、５４０：通信装置
４００：プロセッサ
４２０：グラップル
７２０、７４０、７６０：ＧＰＳ装置／通信装置
８１００：ＣＰＵ
８２０：システムメモリ
８４０：入力部
【図１】
0005450173.tif 000002
【図２】
0005450173.tif 000003
【図３】
0005450173.tif 000004
【図４】
0005450173.tif 000005
【図５】
0005450173.tif 000006
【図６】
0005450173.tif 000007
【図７】
0005450173.tif 000008
【図８】
0005450173.tif 000009
【図９】
0005450173.tif 000010
【図１０】
0005450173.tif 000011